(57)【要約】【課題】管理や利用に要する負荷が少なく、発泡飲料に適用したときに、単に発泡するだけでなく、より細かなクリーミーな泡立てを行うことができる超音波振動付与装具を提供する。【解決手段】超音波発生素子１２と、超音波発生素子を指先に固定する指固定部材１１と、超音波発生素子に電気的に接続して超音波発生素子の駆動を制御し、電力を供給する駆動電力供給部１４と、を少なくとも具備する缶ビール等の発泡飲料に用いられる超音波振動付与装具。【選択図】図２
2020179859.tif 000002
【特許請求の範囲】
【請求項１】
超音波発生素子と、
該超音波発生素子を指先に固定する指固定部材と、
前記超音波発生素子に電気的に接続して超音波発生素子の駆動を制御し、電力を供給する駆動電力供給部と、
を少なくとも具備することを特徴とする超音波振動付与装具。
【請求項２】
前記駆動電力供給部を手または腕に固定する駆動電力供給部固定部材を有することを特徴とする請求項１に記載の超音波振動付与装具。
【請求項３】
前記指固定部材が、指先に嵌着される大きさの指挿入口を有することを特徴とする請求項１または２に記載の超音波振動付与装具。
【請求項４】
前記指固定部材を複数有することを特徴とする請求項１から３のいずれかに記載の超音波振動付与装具。
【請求項５】
前記指固定部材の、超音波発生素子と指先の間となる部位に、前記駆動電力供給部と電気的に接続された圧電素子が設けられていることを特徴とする請求項１から４のいずれかに記載の超音波振動付与装具。
【請求項６】
前記駆動電力供給部が、互いに電気的に接続された、超音波発生素子の駆動信号を発生する駆動部、電源を有する電力供給部、および超音波発生素子の駆動を入切りするスイッチを有する操作部、を有することを特徴とする請求項１から５のいずれかに記載の超音波振動付与装具。
【請求項７】
前記操作部が、前記駆動部、前記電力供給部と電気的に接続された別体となっていることを特徴とする請求項６に記載の超音波振動付与装具。
【請求項８】
前記操作部を指先に固定する操作部固定部材を有することを特徴とする請求項６または７に記載の超音波振動付与装具。
【請求項９】
請求項１から８のいずれかに記載の超音波振動付与装具の超音波発生素子を、発泡飲料容器の注出口近傍に押し当て、超音波を発生させながら発泡飲料を注出することを特徴とする発泡飲料の注出方法。
【発明の詳細な説明】
【技術分野】
【０００１】
本発明は、発泡飲料に超音波振動を与えるために、手や腕に装着して用いられる超音波振動付与装具に関する。
【背景技術】
【０００２】
従来から、ビール等の発泡飲料に対し、風味の低下を抑えることや口当たりの良さを高めることを目的として、泡を生成する装置が知られている。例えば、特許文献１に記載の泡立て装置は、発泡飲料が入っている飲料缶の上蓋部分に取り付けられる。この泡立て装置は、発泡飲料を流す流路を装置内に有するとともに、流路を流れる発泡飲料に超音波を印加可能に配置された超音波発生装置を備えている。ユーザーが飲料缶を傾けると、飲料缶の注ぎ口から出た発泡飲料は、泡立て装置内の流路を通って外部に出て、グラス等の杯に注がれる。杯に適量の発泡飲料が注がれたタイミングで、超音波発生装置を作動させることにより、流路を流れる発泡飲料が超音波振動により泡立てられ、この泡が杯に注がれる。その結果、杯内の液状の発泡飲料の上に泡を乗せることができるとしている。
【０００３】
また特許文献２に記載のビールの泡立て装置は、携帯式泡立て装置であって、ケースに保持された超音波振動子と、一端が前記超音波振動子に連結され他端がケースから外部に突出して容器接触面をなす超音波ホーンとを備えたビールの泡立て装置が開示され、グリップ部を片手で把持してビールを注いだジョッキ等の容器の側面に容器接触面を押し当てて超音波振動子を振動させることで、キャビテーションが生じてビールを発泡させることができるとしている。
【先行技術文献】
【特許文献】
【０００４】
【特許文献１】特開２０１２−１４４２５８号公報
【特許文献２】特開２００５−００００５８号公報
【発明の概要】
【発明が解決しようとする課題】
【０００５】
ところで、特許文献１に記載の泡立て装置の使用の際には、上述のように、装置内の流路に発泡飲料が流れる。したがって、泡立て装置の管理のためには、使用の度に装置を洗浄する必要があり、それゆえに、泡立て装置の管理に要する負担が大きい。また、泡立て装置が飲料缶の上蓋部分に取り付けられるため、複数の缶飲料から飲料を注出する場合は、缶飲料の本数分の装置を用意するか、または新たな缶から注出するごとに装置を付け替えるなどしなければならなかった。缶飲料の本数分の装置を用意するのは負担が大きく、装置を付け替えるのは面倒であった。
【０００６】
また、特許文献２に記載のビールの泡立て装置は、ジョッキ等の容器の外面から装置を押し付けるだけであるため、１台の装置で多数の飲料容器に適用できるものの、円筒形の容器側面に細い棒状であるホーン先端を確実に接触させることは困難である。また、飲料容器の材質や肉厚によってその効果が十分得られない場合もあり、さらに容器内の飲料からの発泡を促進するだけであるので発泡そのものの質を高める効果などは得られなかった。
【０００７】
本発明は以上のような従来技術に鑑み、管理や利用に要する負荷が少なく、ビール等の発泡飲料に適用したときに、単に発泡するだけでなく、より細かなクリーミーな泡立てを簡単に行うことができる超音波振動付与装具を提供することを目的とする。 
【課題を解決するための手段】
【０００８】
上記課題を解決するため、本発明の超音波振動付与装具は、
超音波発生素子と、
該超音波発生素子を指先に固定する指固定部材と、
前記超音波発生素子に電気的に接続して超音波発生素子の駆動を制御し、電力を供給する駆動電力供給部と、
を少なくとも具備することを特徴とする超音波振動付与装具である。
【０００９】
また、本発明の請求項２に係る発明は、
前記駆動電力供給部を手または腕に固定する駆動電力供給部固定部材を有することを特徴とする請求項１に記載の超音波振動付与装具である。
【００１０】
また、本発明の請求項３に係る発明は、
前記指固定部材が、指先に嵌着される大きさの指挿入口を有することを特徴とする請求項１または２に記載の超音波振動付与装具である。
【００１１】
また、本発明の請求項４に係る発明は、
前記指固定部材を複数有することを特徴とする請求項１から３のいずれかに記載の超音波振動付与装具である。
【００１２】
また、本発明の請求項５に係る発明は、
前記指固定部材の、超音波発生素子と指先の間となる部位に、前記駆動電力供給部と電気的に接続された圧電素子が設けられていることを特徴とする請求項１から４のいずれかに記載の超音波振動付与装具である。
【００１３】
また、本発明の請求項６に係る発明は、
前記駆動電力供給部が、互いに電気的に接続された、超音波発生素子の駆動信号を発生する駆動部、電源を有する電力供給部、および超音波発生素子の駆動を入切りするスイッチを有する操作部、を有することを特徴とする請求項１から５のいずれかに記載の超音波振動付与装具である。
【００１４】
また、本発明の請求項７に係る発明は、
前記操作部が、前記駆動部、前記電力供給部と電気的に接続された別体となっていることを特徴とする請求項６に記載の超音波振動付与装具である。
【００１５】
また、本発明の請求項８に係る発明は、
前記操作部を指先に固定する操作部固定部材を有することを特徴とする請求項６または７に記載の超音波振動付与装具である。
【００１６】
また、本発明の請求項９に係る発明は、
請求項１から８のいずれかに記載の超音波振動付与装具の超音波発生素子を、発泡飲料容器の注出口近傍に押し当て、超音波を発生させながら発泡飲料を注出することを特徴とする発泡飲料の注出方法である。
【発明の効果】
【００１７】
本発明の超音波振動付与装具によれば、超音波発生素子を指固定部材により指先に固定し、ビール等の発泡飲料を注出する際に、駆動電力供給部から駆動を制御する信号と駆動のための電力を超音波発生素子に供給して超音波を発生させながら発泡飲料を注出することができる。超音波発生素子を飲料容器の側面の注出口の近傍に押し当てながら注出する
ことで、超音波発生素子の発した超音波は、飲料容器の側面から容器内の飲料に伝わる。そのため、発泡飲料は超音波振動付与装具に直接触れることなく容器内にて泡立てられて、注出口から出る。超音波の効果により、注出時に発生する泡をより細かくクリーミーなものにすることができるため、ビール等の発泡飲料を口当たりが良くおいしいものとすることができる。
【００１８】
またその際に超音波振動付与装具は手指に装着された態様とすることができ、発泡飲料が超音波振動付与装具に直接触れることがないため、発泡飲料が付着する恐れは少なく、使用するたびに洗浄するなどする必要はなく手間がかからず使いやすい。また、複数の飲料容器から続けて注出を行う場合でも、いちいち容器から取り外す必要がなく続けて注出が行え、利便性が高い。また指固定部材を取り付ける指は特に限定されないので、使用者の利き手、飲料容器の持ち方や注ぎ方に応じて、注出口の近くに来る指に取り付けることができ、適用性が広い。さらに中指でしっかりと容器を保持できるので、超音波振動を確実に容器に伝えることができる。
【００１９】
この様に本発明は、管理や利用に要する負荷が少なく、ビール等の発泡飲料に適用したときに、単に発泡するだけでなく、より細かなクリーミーな泡立てを容易に行うことができる超音波振動付与装具を提供できる。
【００２０】
また駆動電力供給部を、手または腕に固定する駆動電力供給部固定部材を有するようにしても良い。これにより、発泡飲料を注出するときに駆動電力供給部の位置が安定して注出の邪魔になることがない。
【００２１】
また指固定部材は、指先に嵌着される大きさの指挿入口を有するものとしても良い。これにより、指先に容易に嵌め込むことができて使いやすい。なお指挿入口の大きさは、親指、人差し指といった各指の太さに合わせたものとしても良く、また指固定部材をゴム等の伸縮性のある部材で構成して、伸縮させることでどの指でも挿入することができるようなサイズとしても良い。
【００２２】
また指固定部材を複数有するものとしても良い。指固定部材を複数有することで、例えば親指と人差し指の両方に装着することができ、飲料容器から発泡飲料を注出するために飲料容器を傾けるときに、親指が注出口近傍に来たり、人差し指が注出口近傍に来たりしても、一々指固定部材を装着しなおす必要がなく、利便性が高い。
【００２３】
また指固定部材の、超音波発生素子と指先の間となる部位に、前記駆動電力供給部と電気的に接続された圧電素子が設けられたものとしても良い。圧電素子の出力を超音波発生素子の駆動の入切りの信号に使用すると、発泡飲料の注出時に超音波発生素子を飲料容器の側面に押し付ける動作と一連の動作で圧電素子に圧力を加えて超音波発生素子を駆動させ、超音波を発生するようにすることができる。指に装着する部材が少なくて済み、操作が単純で分かりやすい。
【００２４】
また駆動電力供給部が、超音波発生素子を駆動する信号を発生する駆動部、電源を有して駆動のための電力を供給する電力供給部、および超音波発生素子の駆動を入切りするスイッチを有する操作部を有するものとしても良い。操作部のスイッチで必要なときのみに超音波発生素子を駆動して超音波を発生させるようにすることで効率的な駆動が行える。
【００２５】
また操作部が、駆動部、電力供給部と電気的に接続された別体となっていても良い。別体とすることで操作部をより操作をしやすい位置に配置することができ、例えば右手で発泡飲料の容器を保持して注出を行う際に、左手での操作を行いやすい位置に操作部を配置することができ、操作をより容易なものとすることができる。
【００２６】
また操作部を指先に固定する操作部固定部材を有するものとしても良い。指固定部材を装着していない指に操作部固定部材を装着し、飲料容器から発泡飲料を注出するときに、操作部固定部材を装着した指で飲料容器の側面を押すなどしてスイッチを入れることができ、超音波発生素子を駆動して超音波を発生させる操作が容易に行える。
【００２７】
また本発明の発泡飲料の注出方法によれば、飲料容器の注出口から発泡飲料を注出する際に超音波を発生させながら注出するので、少ないエネルギーで効率的に超音波の効果を発泡飲料に伝えることができ、細かくクリーミーな泡を効率的に発生させることができる。
【図面の簡単な説明】
【００２８】
【図１】超音波振動付与装具の第１実施形態を装着した図である。
【図２】超音波振動付与装具の第１実施形態を装着した図である。
【図３】指固定部材を人差し指に装着した例を示す模式図である。
【図４】指固定部材の例の断面模式図である。
【図５】本発明の超音波振動付与装具のブロック構成図である。
【図６】超音波振動付与装具の第１実施形態を装着して飲料容器を把持した図である。
【図７】超音波振動付与装具の第１実施形態を装着して飲料容器から発泡飲料を注出する態様を示す図である。
【図８】超音波振動付与装具の第１実施形態を装着して飲料容器から発泡飲料を注出する態様を示す図である。
【図９】指固定部材を複数設けた実施形態の斜視図である。
【図１０】操作部を別体とした実施形態を手に装着した図である。
【図１１】操作部固定部材を有する実施形態を手に装着した図である。
【図１２】操作部固定部材を有する実施形態を装着して飲料容器から発泡飲料を注出する態様を示す図である。
【図１３】超音波振動付与装具を手袋状に形成した実施形態を装着した図である。
【図１４】指固定部材に圧電スイッチが設けられた実施形態の断面模式図である。
【図１５】指固定部材に圧電スイッチが設けられた実施形態を装着して飲料容器から発泡飲料を注出する態様を示す図である。
【図１６】駆動電力供給部を駆動電力供給部固定部材で覆った実施形態の斜視図である。
【発明を実施するための形態】
【００２９】
以下、本発明の実施の形態を、図面を参照しながら詳細に説明する。なお本発明は以下に説明する実施形態に限定されるものではない。また、以下において同等の部材等には同じ符号を付して説明を省略することがある。
【００３０】
図１は、本発明の超音波振動付与装具の第１実施形態を手に装着した図であり、手のひら側から見た図である。また図２は、手の甲側から見た図である。超音波振動付与装具１は、シリコーンゴム等の伸縮性の素材からなるサック状の指固定部材１１に超音波発生素子１２が組み込まれている。超音波発生素子１２は、圧電素子等からなる超音波振動子を含み、駆動部１４ａから入力される駆動信号に応じて振動することにより、超音波を発生する。また超音波振動子は超音波振動面１２ａが外部を向いた態様となっている。超音波発生素子１２は導線１３により、駆動電力供給部１４に電気的に接続されている。
【００３１】
超音波発生素子１２としては、例えば、円形の防水型超音波センサーが用いられる。超音波発生素子１２の動作周波数は、例えば、２０ＫＨｚ以上４０ＫＨｚ以下の範囲から選択される。超音波の伝播過程での減衰を考慮すると、超音波発生素子１２の動作周波数は高い方が好ましい。ただし、発泡飲料を泡立てることの可能な周波数の超音波を出力可能
であれば、超音波発生素子１２の内部構成や外形や動作周波数は限定されない。
【００３２】
超音波発生素子１２はまた、超音波を効率よく伝えるためにシート状などの超音波伝播部材（図示せず）を備えていても良い。超音波伝播部材は飲料容器３０の側面に接し、超音波発生素子１２と飲料容器３０の側面とに挟まれる。超音波発生素子１２が発した超音波を超音波伝播部材に伝え、さらに、超音波伝播部材から飲料容器３０に伝わるようにしても良い。超音波伝播部材は、例えば超音波発生素子１２と飲料容器３０とに密着して超音波振動を伝達可能な柔軟性を有する材料から構成される。超音波伝播部材は、例えば、シリコーンゴムから構成される。サック状の指固定部材１１には指先を挿入できる指挿入口を有しており、この例では親指に装着されているが、他の指に装着することもできる。
【００３３】
駆動電力供給部１４は、互いに電気的に接続された、超音波発生素子１２の駆動信号を発生する駆動部１４ａ、電源を有する電力供給部１４ｂ、および超音波発生素子１２の駆動のオンとオフとを切り替えるための操作部１４ｃからなっており、さらに全体を手や腕などに固定するための駆動電力供給部固定部材１４ｄを有している。
【００３４】
駆動部１４ａは、超音波発生素子１２への駆動信号の出力の制御や、当該駆動信号である交流信号の周波数の設定を行う制御回路、制御回路からの信号に基づき直流の入力電圧を交流に変換して出力するＤＣ／ＡＣコンバーター、および、出力側と入力側とのインピーダンスを整合させる整合回路等を含む。
【００３５】
電力供給部１４ｂは、駆動部１４ａを含む超音波振動付与装具１の各部の駆動に要する電力を供給する。電力供給部１４ｂが供給する電力は、一次電池によって生成されてもよいし、二次電池によって生成されてもよい。電力供給部１４ｂは、例えば、一次電池である乾電池やボタン電池を収容し、乾電池やボタン電池から放電された電力を各部へ供給する。電力供給部１４ｂには、開閉可能な蓋を設けるなどして電池を交換可能とすると好ましい。
【００３６】
操作部１４ｃは超音波発生素子１２の駆動のオンとオフとを切り替えるためのスイッチを有していてよく、該スイッチは特に限定するものではないが、公知のプッシュ式スイッチ、トグルスイッチ、タッチセンサ式スイッチなどを適宜選択して適用できる。駆動電力供給部固定部材１４ｄは手や腕などに嵌めて固定するための適度な伸縮性のある公知のゴムやプラスチック樹脂等の素材や、織物、編物などから適宜選択して適用できる。
【００３７】
駆動部１４ａ、電力供給部１４ｂ、および操作部１４ｃの物理的な位置関係、形状や大きさは設計仕様に合わせて適宜変更できるものであり、図１はその一例を示すに過ぎない。
【００３８】
図１、図２では、駆動電力供給部固定部材１４ｄを手先１ａから装着し、駆動電力供給部１４が手の甲の上に来るように装着した状態であり、指固定部材１１を嵌めた親指や、その他の指が自由に動かせるため、飲料容器を持って中身の飲料を注出する通常の動作に支障がない。
【００３９】
指固定部材１１に組み込まれた超音波発生素子１２は、超音波振動面１２ａが外部側となっており、飲料容器を持ったときに飲料容器の側面などに直接、または超音波伝播部材を介して、超音波振動面１２ａを当接できるようになっている。
【００４０】
図３は、指固定部材２１を人差し指に装着した態様を示している。この例では指固定部材２１は環状となっており、指先に固定されている。指固定部材２１はあらかじめ環状に成形されていても良いが、帯状の部材を丸めてマジックテープ（登録商標）等で係止して環状とする態
様とすれば、指の太さに合わせて固定することができ好ましい。
【００４１】
図４は、指固定部材の例の断面模式図である。図４（ａ）に示すサック状の指固定部材１１は、シリコーンゴム等の伸縮性の素材で構成すると好ましく、一端が指１ｂを挿入する指挿入口１１ａとなって指１ｂが挿入され、他端側に超音波発生素子１２である超音波振動子が装着されている。このとき超音波振動面１２ａが外部を向く様に装着されることで、飲料容器を持ったときに飲料容器の側面などに超音波振動面１２ａを容易に当接できる。導線１３は超音波発生素子１２から外部に延び、駆動電力供給部１４に接続されている。
【００４２】
図４（ｂ）は環状の指固定部材２１の断面図であり、右側の図は、左側の図を矢印Ａの方向から見込んだ図である。超音波発生素子１２は指固定部材２１と指１ｂの間に挟持されるような構成で装着される。実際に使用したときに外部側を向いた超音波振動面１２ａが飲料容器の側面などに確実に当接しているか、より直接的に指で感得できるため好ましい。
【００４３】
図５は、本発明の超音波振動付与装具のブロック構成図である。図５（ａ）は、駆動部、電力供給部、操作部を有する駆動電力供給部と、超音波発生素子が導線で電気的に接続されている構成であり、図１などに例示した構成である。図５（ｂ）は、操作部が駆動部、電力供給部とは別体となった構成であり、その具体的な構成例は後述する。
【００４４】
図６は、本発明の超音波振動付与装具の第１実施形態を右手に装着して飲料容器３０を把持した図である。飲料容器３０は、例えば、プルタブ式もしくはステイオンタブ式の缶蓋を有する飲料缶である。飲料容器３０は、アルミニウムやスチール等の金属板から主に構成され、円筒状の本体部と、本体部が有する２つの筒端の一方を塞ぐ下蓋部と、上記筒端の他方を塞ぐ上蓋部とを備える。上蓋部は、タブを引き上げることにより開口される１つの注出口３１を有している。
【００４５】
飲料容器３０の内容物である発泡飲料は、炭酸を含んだ飲料であって、泡の生成が好まれる飲料であればその種類は限定されない。具体的には、発泡飲料は、数％の二酸化炭素が圧入された発泡性の飲料であって、例えば、ビールやノンアルコールビール等である。
【００４６】
飲料容器３０を把持するときは、指固定部材１１の超音波発生素子１２が注出口３１の近傍の側面に当接できるように把持する。図６の例では、指固定部材１１を装着した親指が注出口３１の近傍となるように把持し、超音波発生素子１２を容器側面に当接させている。
【００４７】
この状態から、飲料容器３０から発泡飲料を注出するには、図７に示すように注出口３１が下側となる様に飲料容器を傾け、飲料容器３０内の発泡飲料を注出口３１から流出させてグラス等の杯３３に注ぐ。このとき、超音波発生素子１２はオフにされている。これにより、杯３３に主として液状の発泡飲料３４が注がれ、通常の泡３５も若干形成される。
【００４８】
図７が示すように、杯３３に適量の発泡飲料３４が注がれたタイミングで、ユーザーは、発泡飲料を注ぎ続けながら、操作部１４ｃを操作して、超音波発生素子１２をオンに切り替える。例えば、ユーザーは左手で操作部１４ｃを操作しスイッチを押すなどの動作を行うことで、超音波発生素子１２をオフからオンへ容易に切り替えることができる。
【００４９】
操作部１４ｃからの信号の入力に基づき、駆動部１４ａから超音波発生素子１２へ駆動信号が出力され、これによって、超音波発生素子１２が超音波を発する。超音波は超音波
伝播部材を介するなどして飲料容器３０の側面に伝わり、さらに、飲料容器３０内の発泡飲料に伝わる。
【００５０】
この時点で飲料容器３０内に残されている発泡飲料は、飲料容器３０に最初に充填されていた発泡飲料の一部である。この飲料容器３０内に残されている発泡飲料は、飲料容器３０が傾けられていることにより、飲料容器３０内の注出口３１付近に溜まっている。図７の様に指固定部材２１を装着した親指が注出口３１の下方で飲料容器３０の側面を把持する態様であれば、発泡飲料が注出口３１から注がれるように飲料容器３０が傾けられているとき、超音波発生素子１２は注出口３１の下側に位置し、すなわち、飲料容器３０内にて発泡飲料が溜まっている部分の付近に位置する。それゆえ、超音波発生素子１２から発せられた超音波は、飲料容器３０内の発泡飲料に的確に伝わる。
【００５１】
また、超音波発生素子１２の発した超音波が、超音波発生素子１２と飲料容器３０の側面とに密着した超音波伝播部材を介して飲料容器３０に伝えられるようにすると、伝播過程での超音波振動の損失が抑えられ、超音波の伝達効率が高められる。
【００５２】
超音波振動により、飲料容器３０内の発泡飲料の泡がさらに細かくクリーミーなものに泡立てられ、この細かい泡３２が注出口３１から出て、杯３３に注がれる。これにより、杯３３内において液状の発泡飲料３４の上に若干の通常の泡３５が乗り、さらに細かい泡３２が乗るように、飲料容器３０内の発泡飲料を杯３３に移すことができる。ここで通常の泡３５と細かい泡３２の概略の比率を、超音波発生素子１２をオフからオンに切り替えるタイミングを適宜調整することでユーザーの好みに応じて調整することができる。
【００５３】
本発明の超音波振動付与装具では、超音波が、飲料容器３０の側面から飲料容器３０内の発泡飲料へ伝えられる。そのため、発泡飲料は、超音波振動付与装具１に直接触れることなく泡立てられて、杯３３に注がれる。したがって、使用の度に超音波振動付与装具１を洗浄する必要がないため、超音波振動付与装具１の管理に要する負担を軽減することができる。
【００５４】
また、図７に示す態様で、杯３３に注出する代わりに、注出口３１に直接、口をつけて飲む、いわゆる直飲みすることも可能である。その場合でも上述の場合と同様の手順で、細かい泡を発生させながら飲むことができるのは言うまでもない。
【００５５】
図８は、第１実施形態の超音波振動付与装具の指固定部材１１を人差し指に装着して飲料容器から発泡飲料を注出する態様を示す図である。この場合は、指固定部材１１を装着した人差し指が注出口３１の近傍となるように把持し、超音波発生素子１２を容器側面に当接させている。この場合でも、図７に示した例と同様に、クリーミーで細かい泡３２を発生させることができ、ユーザーの好みに応じて注出することができる。
【００５６】
このように、指固定部材１１を装着し直すことで親指が下方となる注ぎ方でも、人差し指が下方となる注ぎ方でも対応可能である。また、複数の飲料容器から注出する場合でも、超音波振動付与装具１自体を装着し直すなどの動作は不要で、そのまま続けて注出が行える。
【００５７】
図９は、指固定部材を複数設けた実施形態の斜視図である。前述の様に、指固定部材２１を装着し直すことで種々の注ぎ方で発泡飲料を注出することができるが、図９に示す実施形態の様に複数の指固定部材１１ａ、１１ｂを備え、例えば親指と人差し指の両方に同時に装着できる様にしても良い。注ぎ方によって指固定部材を装着し直す必要がなく、利便性が高い。また操作部として複数のスイッチ１４ｃ１、１４ｃ２を設けても良い。
【００５８】
図９ではまた、電力供給部１４ｂの形態を例示する。電力供給部１４ｂには開閉自在な蓋１４ｆが設けられ、内部に乾電池１４ｅが収納される。そのため消費した乾電池１４ｅは蓋１４ｆを開けることで容易に新しいものと交換できる。図９ではまた、駆動電力供給部固定部材１４ｄの形態例を説明する。駆動電力供給部固定部材１４ｄは、ベルト状の部材をマジックテープ（登録商標）１４ｇで固定することで手や腕などに嵌めて固定することができ、取り外すことも容易である。
【００５９】
図１０は、操作部を別体とした実施形態を手に装着した図である。操作部は前述の各実施形態の様に駆動部、電力供給部と同体となっていても良いが、実際に操作するときに、飲料容器から発泡飲料を注出しながらでは操作部の操作がし難かったり、スイッチを押す際に飲料容器を持った手が揺れるなどして発泡飲料をこぼしてしまったりする恐れがある。
【００６０】
そこで、操作部１４ｈを別体に設け、導線１３ｂで駆動部に接続し、これを超音波振動付与装具を装着していない手、図１０で言えば左手で操作しやすい位置に置くことができる。あるいは、別体とした操作部１４ｈを左手で保持しながら、右手で注出を行う、といった使用法が可能である。このとき指固定部材１１は親指以外の指に装着されても良いことは言うまでもない。また本実施形態に限らず、駆動電力供給部１４は手の甲でなく図１０の様に腕に装着されても良い。
【００６１】
また操作部１４ｈをプッシュ式またはタッチセンサ式のスイッチとして、図１１に示すように、操作部固定部材１５に取り付けて指先に固定できるようにしても良い。このような形態とすると、例えば図１２に示すように、飲料容器３０から注出する際に、指固定部材１１を装着した親指が注出口３１の近傍となるように把持し、超音波発生素子１２を容器側面に当接させ、操作部固定部材１５を装着した人差し指を反対側の容器側面に当接させ、超音波を発生させるタイミングで人差し指を容器側面に押し付けてスイッチを入れることで、超音波発生素子１２をオフからオンへ、オンからオフへ、容易に切り替えることができる。超音波発生素子１２と操作部１４ｈをそれぞれどの指に固定するかは任意であり、図８に例示したように人差し指に超音波発生素子１２を装着しても良い。また操作部固定部材１５を中指や薬指に装着することもできる。
【００６２】
すなわち、飲料容器から発泡飲料を注出する動作と、超音波発生素子１２のオフ／オンを切り替える動作を片手で容易に行うことができる。片手で行うことができるため、図１２の例で言えば左手が自由になるため、左手で杯３３を保持しながら注出を行うこともできる。
【００６３】
図１３は、超音波振動付与装具を手袋状に形成した実施形態を装着した図である。すなわち駆動電力供給部２５、超音波発生素子１２、導線１３を手袋１６の内部に収納されるように装着したものである。手袋１６には、電池交換を容易にするため蓋部１６ａを設けて駆動電力供給部２５を取り出せるようにしても良い。超音波発生素子１２はどの指の部分に装着しても良い。
【００６４】
手袋１６の内部に収納されるようにすると、超音波振動付与装具を装着していることが分かりにくくなり、見た目が良いだけでなく、特別な装置を装着していることが他者から分かりにくくなり、発泡飲料に通常よりも細かくクリーミーな泡を注出できることに対して他者に驚きを与えることができる。
【００６５】
図１４は、指固定部材に圧電スイッチが設けられた実施形態の断面模式図である。本実施形態では、指固定部材２２に超音波発生素子１２が組み込まれていると共に、指１ｂを超音波発生素子１２の部位まで差し入れることができる様になっており、超音波発生素子
１２と指１ｂの間に圧電スイッチ２３が設けられている。圧電スイッチ２３は導線１３ｃにより駆動部に接続されている。このため、図１５に示すように、飲料容器３０から発泡飲料を注出する際に、泡を発生させるために超音波発生素子１２の超音波振動面１２ａを飲料容器３０の側面に押し付けたとき、その圧力で圧電スイッチ２３を動作させ、超音波発生素子１２のオン／オフの切り替えを行うことができる。すなわち操作部として機能させることができる。
【００６６】
この実施形態によれば、別に操作部を設ける必要がなく、飲料容器から発泡飲料を注出する自然な動作の中で超音波発生素子１２のオン／オフを切り替えることができ、超音波発生素子１２のオン／オフを切り替えるための特別な動作が不要で操作が容易であり、装置の構成や装着を単純にできる。この構成は、図１４の右側の図に例示したような環状の指固定部材にも適用できることは言うまでもない。
【００６７】
図１６は、駆動電力供給部を駆動電力供給部固定部材で覆った実施形態の斜視図である。本実施形態では、駆動電力供給部１４が駆動電力供給部固定部材２４で覆われるため、見た目が良く、また駆動電力供給部１４を傷や汚れから防ぐことができる。
【符号の説明】
【００６８】
１・・・超音波振動付与装具
１ｂ・・・指
１１、１１ａ、１１ｂ、２１・・・指固定部材
１２・・・超音波発生素子
１２ａ・・・超音波振動面
１３、１３ｂ、１３ｃ・・・導線
１４、２５・・・駆動電力供給部
１４ａ・・・駆動部
１４ｂ・・・電力供給部
１４ｃ、１４ｈ・・・操作部
１４ｃ１、１４ｃ２・・・スイッチ
１４ｄ、２４・・・駆動電力供給部固定部材
１４ｅ・・・乾電池
１４ｆ・・・蓋
１４ｇ・・・マジックテープ（登録商標）
１５・・・操作部固定部材
１６・・・手袋
１６ａ・・・蓋部
２３・・・圧電スイッチ
３０・・・飲料容器
３１・・・注出口
３２・・・細かい泡
３３・・・杯
３４・・・発泡飲料
３５・・・通常の泡
【図１】
2020179859.tif 000003
【図２】
2020179859.tif 000004
【図３】
2020179859.tif 000005
【図４】
2020179859.tif 000006
【図５】
2020179859.tif 000007
【図６】
2020179859.tif 000008
【図７】
2020179859.tif 000009
【図８】
2020179859.tif 000010
【図９】
2020179859.tif 000011
【図１０】
2020179859.tif 000012
【図１１】
2020179859.tif 000013
【図１２】
2020179859.tif 000014
【図１３】
2020179859.tif 000015
【図１４】
2020179859.tif 000016
【図１５】
2020179859.tif 000017
【図１６】
2020179859.tif 000018